(57)【特許請求の範囲】
【請求項１】
コンピュータによって太陽エネルギ予測を評価する方法であって、
少なくとも１つの太陽光発電装置を含む仮想電力プラントで発電し、
前記太陽光発電装置の位置での歴史的な放射量のテストデータセットを得、
所与の時点での前記テストデータセットを前記所与の時点での晴天放射量で割ることによって、前記位置での放射量の晴天モデルに基づき前記テストデータセットを正規化し、
晴天指数の確率密度に関わる前記テストデータセットのヒストグラムをプロットし、
複数のクラスの夫々についてのクラス特有曲線の結合を含むヒストグラム曲線を前記ヒストグラムに適合させ、
前記クラスの夫々についての前記クラス特有曲線を取り出し、
各点が前記クラス特有曲線にどの程度適合するのかに基づき、前記クラスのうちの１つにより前記テストデータセットにおける各点をクラスタリングし、
前記太陽光発電装置でのある時点についての放射量の予測を得、
前記放射量の予測と前記テストデータセットとの間の類似度に基づき、前記テストデータセットにおいて、前記予測に対して類似した気象条件を持った前記テストデータセットにおける点を含む前記予測の最近傍を見つけ、
前記予測の前記最近傍に基づき、該最近傍が属する前記複数のクラスのうちの１つに前記予測を分類し、
前記複数のクラスのうちの前記１つの放射量の予測不可能性の程度に基づき、前記予測の信頼区間を決定し、
前記信頼区間に基づき、該信頼区間に基づき前記太陽光発電装置の増加出力又は減少出力のうちの一方を実施することによって、前記仮想電力プラントでの発電を変更する
ことを含む方法。
【請求項２】
前記信頼区間は、Krigingモデルを用いて決定される、
請求項１に記載の方法。
【請求項３】
前記仮想電力プラントは、少なくとも１つの非太陽光発電装置を更に含み、
前記仮想電力プラントでの発電を変更することは、
前記信頼区間に比例した、前記太陽光発電装置の増加出力及び前記非太陽光発電装置の減少出力、並びに
前記信頼区間に比例した、前記太陽光発電装置の減少出力及び前記非太陽光発電装置の増加出力
のうちの１つを実施することを含む、
請求項１に記載の方法。
【請求項４】
前記最近傍を見つけることは、近傍までの加重距離に基づきｋ近傍法を使用することを含み、前記近傍までの加重距離は、一般的なパターン探索アルゴリズムを用いて決定される、
請求項１に記載の方法。
【請求項５】
前記非太陽光発電装置は、風力発電装置、水力発電装置、石炭発電装置、原子力発電装置、又は天然ガス発電装置のうちの１つ以上を含む、
請求項３に記載の方法。
【請求項６】
コンピュータによって太陽光発電予測を解析する方法であって、
太陽光発電システムの位置での歴史的な放射量のテストデータセットを得、
前記位置での放射量の晴天モデルに基づき前記テストデータセットを正規化し、該正規化されたデータセットは太陽天頂角から独立しており、
前記テストデータセットを複数の気象クラスにクラスタリングし、夫々の気象クラスは特性の組を含み、
前記太陽光発電システムでの所与の将来の時点についての放射量の予測を得、
前記予測を前記複数の気象クラスのうちの１つに分類し、
前記複数の気象クラスのうちの前記１つの前記特性の組に基づき、前記予測の信頼区間を決定し、
前記予測の前記信頼区間に基づき、太陽エネルギに代わるエネルギの発生源の増加出力又は該エネルギの発生源の減少出力のうちの一方を実施する
ことを含む方法。
【請求項７】
前記特性の組は、晴天、曇天、及び一部曇り空のうちの少なくとも１つを含む雲量を含む、
請求項６に記載の方法。
【請求項８】
前記特性の組は、放射量の予測不可能性の程度を含み、
前記複数の気象クラスの夫々は、放射量の予測不可能性の程度が異なっている、
請求項６に記載の方法。
【請求項９】
前記特性の組は、季節、場所、雲形成、雲クラス、又はスカイカバーのうちの１つ以上を含む、
請求項６に記載の方法。
【請求項１０】
前記放射量の予測は、サードパーティによって生成される、
請求項６に記載の方法。
【請求項１１】
前記太陽光発電システムを用いて電力を生成し、
前記エネルギの発生源を用いて電力を生成する
ことを更に含む請求項６に記載の方法。
【請求項１２】
前記エネルギの発生源は、風力発電、水力発電、石炭発電、原子力発電、又は天然ガス発電のうちの１つ以上を含む、
請求項６に記載の方法。
【請求項１３】
前記テストデータセットを正規化することは、所与の時点での前記テストデータセットを前記所与の時点での晴天放射量で割ることを含む、
請求項６に記載の方法。
【請求項１４】
前記テストデータセットを複数の気象クラスにクラスタリングすることは、
晴天指数の確率密度に関わる前記テストデータセットのヒストグラムをプロットし、
夫々のクラスについてのクラス特有曲線の結合を含むヒストグラム曲線を前記ヒストグラムに適合させ、
前記クラスの夫々についての前記クラス特有曲線を取り出し、
各点が前記クラス特有曲線にどの程度適合するのかに基づき、前記テストデータセットにおける各点を前記クラスのうちの１つと関連付ける
ことを含む、請求項６に記載の方法。
【請求項１５】
前記予測を前記複数の気象クラスのうちの１つに分類することは、前記予測に対して類似した気象条件を持った前記テストデータセットにおける点を表す前記予測の最近傍を見つけることを含み、
前記予測の信頼区間を決定することは、前記最近傍が属するクラスの放射量の予測不可能性の程度に更に基づく、
請求項６に記載の方法。
【請求項１６】
前記最近傍は、前記予測とは異なる時刻を含む、
請求項１５に記載の方法。
【請求項１７】
前記太陽光発電システムは、仮想電力プラントとして統合された、少なくとも１つの太陽光発電装置を含む複数の個別的な発電装置を有する、
請求項６に記載の方法。
【請求項１８】
前記信頼区間に基づき前記太陽エネルギの価格を変更すること
を更に含む請求項６に記載の方法。
【請求項１９】
太陽光発電システムの位置での歴史的な放射量のテストデータセットを得、
前記位置での放射量の晴天モデルに基づき前記テストデータセットを正規化し、該正規化されたデータセットは太陽天頂角から独立しており、
前記テストデータセットを複数の気象クラスにクラスタリングし、夫々の気象クラスは特性の組を含み、
前記太陽光発電システムでの所与の将来の時点についての放射量の予測を得、
前記予測を前記複数の気象クラスのうちの１つに分類し、
前記複数の気象クラスのうちの前記１つの前記特性の組に基づき、前記予測の信頼区間を決定し、
前記予測の前記信頼区間に基づき、太陽エネルギに代わるエネルギの発生源の増加出力又は該エネルギの発生源の減少出力のうちの一方を実施する
ことを含む動作を実行するか又はその実行を制御するよう１つ以上のプロセッサによって実行可能なコンピュータ可読命令を記憶している非一時的なコンピュータ可読媒体。
【請求項２０】
前記特性の組は、放射量の予測不可能性の程度を含み、
前記複数の気象クラスの夫々は、放射量の予測不可能性の程度が異なっている、
請求項１９に記載のコンピュータ可読媒体。
【発明の詳細な説明】
【技術分野】
【０００１】
本願で論じられている１つ以上の実施形態は、太陽光発電システムを動作させることに関係がある。
【背景技術】
【０００２】
温室効果ガス排出を減らすために世界中で多くの努力がなされている。そのような努力は、ハイブリッド車からエネルギ効率の良い電球にまで及んでいる。努力の１つの手段は、様々な発電に関連した電力の発生及び温室効果ガス排出に関連する。注目を集めている電力源の１つは、太陽光発電である。なぜなら、それは再生可能であり、化石燃料を燃やさない。しかし、太陽光発電の効率は、太陽光発電を生成する場所で経験される気象に大いに影響を及ぼされ得る。
【０００３】
本願で請求されている主題は、上記のような環境でのみ動作する実施形態、又は上記のような如何なる欠点も解消する実施形態に制限されない。むしろ、この背景技術は、本願で記載される本開示の実施形態が実施され得る一例となる技術分野を説明するために与えられている。
【発明の概要】
【０００４】
本開示の１つ以上の実施形態は、太陽光発電システムの作動方法であって、当該太陽光発電システムの位置での歴史的な放射量のテストデータセットを得、前記位置での放射量の晴天モデルに基づき前記テストデータセットを正規化し、該正規化されたデータセットが太陽天頂角から独立しているようにすることを含む方法を含んでよい。方法は、前記テストデータセットを、夫々が特性の組を含む複数の気象クラスにクラスタリングすることを更に含んでよい。方法は、当該太陽光発電システムでの所与の将来の時点についての放射量の予測を得、該予測を前記複数の気象クラスのうちの１つに分類することを更に含んでよい。方法は、前記複数の気象クラスのうちの前記１つの前記特性の組に基づき、前記予測の信頼区間を決定することを更に含んでよい。方法は、前記予測の前記信頼区間に基づき、太陽エネルギに代わるエネルギの発生源の増加出力又は該エネルギの発生源の減少出力のうちの一方を実施することを更に含んでよい。
【０００５】
実施形態の目的及び利点は、特許請求の範囲において特に示されている要素、機能、及び組み合わせによって少なくとも実現及び達成される。
【０００６】
前述の概要及び以下の詳細な説明はいずれも例を提供し、例示であって限定ではない。
【図面の簡単な説明】
【０００７】
例となる実施形態は、添付の図面の使用を通じて、更なる特定及び詳細をもって記載及び説明される。
【０００８】
【図１】太陽光発電装置を含む仮想電力プラントを作動させるよう構成されたシステムの例を表す図である。
【０００９】
【図２】太陽光発電予測を評価することにおいて使用されるプロットの組の例である。
【００１０】
【図３】太陽光発電システムを作動させる方法の例のフロー図である。
【００１１】
【図４Ａ】太陽光発電装置を含む仮想電力プラントを作動させる方法の例のフロー図である。
【図４Ｂ】図４Ａのフロー図の続きを表す
【発明を実施するための形態】
【００１２】
太陽光発電は、光起電力電池がさらされる太陽光の量に依存する電力の発生源である。この理由により、仮想電力プラント（ＶＰＰ；virtual  power  plants）のマネージャ及びオペレータのような発電会社は、太陽光発電装置が生成し得る電気の量を予測するために、放射量（例えば、単位面積あたりの放射エネルギ束）の予測を利用する。しかし、そのような予測は常に正確なわけではなく、予測の予期された変動を考慮しない。
【００１３】
本開示は、放射量の予測の正確さを示す情報を利用することによって太陽光発電システムを作動させることに関係があり得る。歴史的な放射量のテストデータセット、例えば、様々な季節及び様々な気象条件において長期間に所与の位置で経験された放射量、が取得されてよい。テストデータセットは、例えば、テストデータセットにおけるある時点での放射量をその時刻についての晴天放射量で割ることによって、放射量の晴天モデルに基づき正規化されてよい。正規化された後、テストデータセットは、関連する特性の組により気象クラス（例えば、晴天、一部曇り、曇天）にクラスタリングされてよい。そのような動作は、予測の正確さを解析するためのフレームワークを構築し得る。フレームワーク内で解析されるべき放射量の予測は、例えば、サードパーティの予測サービスから、取得されてよい。予測は、次いで、気象クラスのうちの１つに分類されてよい。その気象クラスの特性に基づき、予測についての信頼区間は決定されてよい。信頼区間は予測の信頼性を示してよい。太陽光発電システムの動作は、信頼区間に基づき変更されてよい。例えば、信頼区間が高い場合に、太陽光発電の他に代替のエネルギ源の出力は、電力の潜在的な不足を補償するよう増やされてよい。
【００１４】
本開示の実施形態は、添付の図面を参照して説明される。
【００１５】
図１は、太陽光発電装置１１２を含む仮想電力プラント（ＶＰＰ）１１０を作動させるよう構成された、例となるシステム１００を表す図である。システム１００は、ＶＰＰ１１０、気象情報源１２０、エネルギ市場１３０、及びネットワーク１４０を含んでよい。ＶＰＰ１１０は、制御装置１１１と、電力を生成する１つ以上のソースとを含んでよい。例えば、図１に表されているように、ＶＰＰ１１０は、太陽光発電装置１１２、風力発電装置１１３、化石燃料発電装置１１４、及び水力発電装置１１５を含んでよい。
【００１６】
制御装置１１１は、ＶＰＰ１１０の動作を制御するよう構成された如何なる装置、システム、コンポーネント、又はコンポーネントの集合も含んでよい。例えば、制御装置１１１は、太陽光発電装置１１２での太陽光発電に関連した予測を生成又は解析してよい。他の例として、制御装置１１１は、電力を生成するソースの１つ以上によって生成される電力の量を調整又は変更してよい。制御装置１１１はまた、気象情報源１２０のから受け取られる気象情報のような気象情報に対応する解析を実施してよい。
【００１７】
気象情報源１２０は、気象情報を記憶し、生成し、予測し、又は別なふうに扱うよう構成された如何なる装置、システム、コンポーネント、又はコンポーネントの集合であってもよい。気象情報源１２０にある気象情報は、例えば、放射量、雲量、雲形成、雲クラス、スカイカバー（雲によって覆われた空のパーセンテージ）、日照時間、季節（例えば、冬、夏）、毎日の最高気温、毎日の最低気温、露点温度、温度、相対湿度、風速、風向、毎日の降水確率、太陽アジマス角、太陽天頂角、正規化された時角、などを含む如何なる気象情報も含んでよい。
【００１８】
気象情報源１２０にある気象情報は、暦、気象予測サービス、報道局、自然観測のデータベース、ウェブサービス、などのような如何なるソースからも利用可能であってよい。いくつかの実施形態において、気象情報は、時間（日、時、分、又は秒のうちのいずれかを含んでよい。）、場所、及び関連するデータのデータ・トライアドと見なされてよい。例えば、データ・トライアドは、カリフォルニア州サンフランシスコ２０１５年７月４日午前１０時を含んでよく、日中気温８５度、スカイカバー１０パーセント、夏、及び降水確率１０パーセントのような、対応する気象情報を有してよい。気象情報源１２０は、太陽光発電装置１１２の場所のような、様々な位置についての履歴データを含んでよい。気象情報源１２０は、気象に関する予報、予測、又は他の見通し情報を更に含んでよい。いくつかの実施形態において、気象情報の履歴データ又は予測のような気象情報は、気象情報源１２０から制御装置１１１へネットワーク１４０を介して送られてよい。いくつかの実施形態において、制御装置１１１は、気象情報の予測を生成してよい。
【００１９】
エネルギ市場１３０は、電力が購入又は売却され得る如何なるシステム又はシステムの集合であってもよい。例えば、制御装置１１１は、ＶＰＰ１１０で生成された電力の一部をエネルギ市場１３０へ供給してよい。追加的に、又は代替的に、制御装置１１１は、ＶＰＰ１１０から電力を受ける１人以上の加入者への分配のために、エネルギ市場１３０から追加のエネルギを取得又は購入してよい。いくつかの実施形態において、電力は、エネルギ市場１３０を介して予約され、又は別なふうに条件付きで購入されてよい。
【００２０】
ネットワーク１４０は、制御装置１１１、気象情報源１２０、及びエネルギ市場１３０の１つ以上の間のコミュニケーションを提供するよう構成された如何なる装置、システム、コンポーネント、又はそれらの組み合わせも含んでよい。コミュニケーションは、情報通信だけではなく、他のタイプのコミュニケーション、例えば、電力のやり取りも含んでよい。例として、ネットワーク１４０は、１つ以上のワイドエリアネットワーク（ＷＡＮ；wide  area  network）、ローカルエリアネットワーク（ＬＡＮ；local  area  network）、電気分配網、電力線網、などのような、制御装置１１１、気象情報源１２０、及び／又はエネルギ市場１３０がやり取りすることを可能にするものを含んでよい。いくつかの実施形態において、ネットワーク１４０は、複数のＷＡＮ及び／又はＬＡＮの間の論理的及び物理的接続によって形成された大域的なインターネットワークを含むインターネットを含んでよい。代替的に、又は追加的に、ネットワーク１４０は、１つ以上のセルラーＲＦネットワーク並びに／又は１つ以上の有線及び／若しくは無線ネットワーク、例えば、制限なしに、８０２．ｘｘネットワーク、Ｂｌｕｅｔｏｏｔｈ（登録商標）アクセスポイント、無線アクセスポイント、ＩＰベースのネットワーク、又は同様のものを含んでよい。ネットワーク１４０は、１つのタイプのネットワークが他のタイプのネットワークとインターフェイス接続することを可能にするサーバ、サブステーション、又は他の接続装置も含んでよい。追加的に、又は代替的に、ネットワーク１４０は、組織内で又は別なふうに安全な様態において通信するイントラネット又は１つ以上のコンピュータ装置を含んでよい。
【００２１】
いくつかの実施形態において、太陽光発電装置１１２、風力発電装置１１３、化石燃料発電装置１１４、及び／又は水力発電装置１１５は、ネットワーク１４０を介して制御装置１１１とやり取りしてよい。追加的に、又は代替的に、太陽光発電装置１１２、風力発電装置１１３、化石燃料発電装置１１４、及び／又は水力発電装置１１５は、生成された電力を蓄積し、分配し、販売し、調整し、又は別なふうに扱い若しくは制御するためのシステムと電気的にやり取りしてよい。そのような及び他の実施形態において、制御装置１１１は、そのようなシステムの部分であってよく、且つ／あるいは、そのようなシステムを監督又は制御してよい。
【００２２】
動作において、制御装置１１１は、本開示で記載される動作のいずれかを実施してよい。例えば、制御装置１１１は、太陽光発電装置１１２の位置に関する気象履歴情報のテストデータセットを気象情報源１２０からネットワーク１４０を介して取得してよい。テストデータセットの気象情報は、放射履歴データを含んでよい。制御装置１１１は、放射履歴データを正規化するために、放射履歴データ及び放射量の晴天モデルを使用してよい。例えば、所与の時刻に対応するテストデータセットにおけるデータ点について、そのデータ点についての放射履歴データは、その時刻についての晴天放射量で割られてよい。正規化された後、テストデータセットは、時刻から独立し、すなわち、太陽天頂角と無関係であってよい。正規化された値は、晴天指数と呼ばれてよい。
【００２３】
正規化された放射データ（例えば、テストデータの晴天指標）に基づき、テストデータセットは気象クラスにクラスタリングされてよい。気象クラスのいくつかの例は、晴天、曇天、又は一部曇りを含んでよい。夫々のクラスは、対応する特性の組を有してよい。特性は、気象情報源１２０にあるものとして記載される気象情報のいずれを含んでもよい。例えば、晴天の気象クラスは、高い放射量及び高い日中温度及び低い日中降水確率を有してよい。特性の組は、放射量の予測不可能性の程度を更に含んでよい。例えば、曇天又は一部曇りの気象クラスは、放射量の予測不可能性の程度が晴天クラスよりも高くてよい。テストデータセットを気象クラスにクラスタリングする一例は、図２を参照して図示及び記載されてよい。いくつかの実施形態において、テストデータセットはまた、太陽天頂角に基づきクラスタリングされてよい（例えば、日の出から約２時間後まで及び日の入り前の約２時間については低い太陽天頂角、並びに日の出から約２時間後から日の入りの約２時間前までは高い太陽天頂角）。２時間は一例として使用されており、一方、この値は、高度、周囲の山々若しくは他の地形、又は太陽エネルギ発生の量を増大若しくは減少させ得る他の要因を含む様々な要因に応じても変化し得ることが認識されるであろう。例えば、近似時間は、３０分、１時間、又は１時間半を更に含んでよい。そのような及び他の実施形態において、太陽天頂角に基づくクラスタリングは、気象クラス内のサブクラスであってよい。例えば、テストデータセットの朝の時間内のデータ点は、１つのサブクラスにおいてクラスタリングされてよく、テストデータセットの夕方の時間内のデータ点は、他のサブクラスにおいてクラスタリングされてよい。例えば、低い太陽天頂角の時間の間に、地上障害物（例えば、木々）は、高い太陽天頂角によるデータ点と比較したときに、バラツキの増大を生じさせ得る。地上障害物に加えて、地理的位置も、低い太陽天頂角でのサブクラスのバラツキを引き起こし得る。例えば、カリフォルニア州において、朝のマリンレイヤー雲は、空の大部分を覆うことがあり、一方、夕方には、マリン雲は、朝の時間よりも大幅に消散し得る。
【００２４】
図２は、太陽光発電予測を評価することにおいて使用される、例となるプロットの組２００である。例えば、例となるプロットの組２００は、正規化されたテストデータセットを気象クラスにクラスタリングするために使用されてよい。プロット２１０は、正規化されたテストデータセットのヒストグラムを含んでよい。ヒストグラムは、所与の晴天指数の確率密度を表してよい。例えば、所与の晴天指数について、その晴天指数に対応する正規化されたテストデータセットにおける夫々のデータ点は、所与の晴天指数に対応する全てのデータ点のパーセンテージがプロット２１０上でヒストグラムにおいてプロットされ得るように、合計されてよい。そのような及び他の実施形態において、低い太陽天頂角によるデータ点は、別のヒストグラムにより１つ以上のサブクラスにおいて分類されてよい。
【００２５】
例となるプロットの組２００は、ヒストグラムに適合された曲線２２５を表すプロット２２０を更に含んでよい。曲線２２５は曲線の結合を表してよく、その結合における曲線の夫々は、別々の相異なる気象クラスを表してよい。例えば、曲線のそのような結合は、混合ガウスモデル（Gaussian  mixture  model）に相当してよい。いくつかの実施形態において、曲線の夫々は、結合曲線２２５から別個の曲線に分けられてよい。例えば、プロット２３０は、第１の曲線２３２、第２の曲線２３４、及び第３の曲線２３６のような、別個の曲線を表してよい。第１の曲線２３２は、曇天の気象クラスを表してよい。プロット２３０で表されているように、第１の曲線２３２は、確率分布がより散開されるように、予測不可能性の範囲が第３の曲線２３６よりも広い。同様に、第２の曲線２３４は、一部曇りの気象クラスを表してよく、予測不可能性の範囲が第３の曲線２３６よりも広い。プロット２３０で表されているように、第１の曲線２３２は、第２の曲線２３４よりも全体的に低い晴天指数を有してよい。第３の曲線２３６は、晴天の気象クラスを表してよい。晴天の気象クラスは、他の気象クラスに対して最も高い晴天指数を有してよく、他の２つの気象クラスと比較したときに、より狭い分布曲線、すなわち、より低い程度の予測不可能性を有してよい。いくつかの実施形態において、プロット２２０の曲線２２５は、夫々のクラスがガウス分布モデルによってモデリングされ得るように、混合ガウスモデルに相当してよい。そのような及び他の実施形態において、第１、第２、及び第３の曲線２３２、２３４、及び２３６は、夫々がガウス分布を表してよい。
【００２６】
いくつかの実施形態において、正規化されたテストデータセットにおける夫々のデータ点は、データ点が最も近く一致するクラス特有曲線はどれかを判定することによって、特定の気象クラスによりクラスタリングされてよい。そうすることによって、フレームワークは確立されてよく、それに対して新しい予測が解析され得る。
【００２７】
変更、追加、及び削除は、本開示の本質から外れることなしに、図２の例となるプロットの組２００に対してなされてよい。例えば、使用される気象クラスはいくつであってもよく、プロット２３０における気象クラスの夫々について対応する曲線が存在し得る。加えて、例となるプロット２００は、例示を目的として与えられており、本開示の実施形態は、例となるプロットの組２００を生成することなしに実施されてよい。
【００２８】
図１に戻ると、予測を解析するためのフレームワークが確立され得た後に、新しい予測、例えば、放射量の予測、が取得されてよい。そのような予測は、制御装置１１１で気象情報源１２０から受け取られてよく、あるいは、制御装置１１１によって生成されてよい。制御装置１１１は、新しい予測の正確さ、すなわち、新しい予測の予測不可能性の程度を決定するよう、新しい予測を解析してよい。
【００２９】
いくつかの実施形態において、新しい予測の最近傍がテストデータセットにおいて見つけられてよい。例えば、新しい予測とテストデータセットとの間の類似度が解析されてよい。いくつかの実施形態において、予測された値に対する最近値が最近傍であってよい。いくつかの実施形態において、予測は、気象情報の複数の成分を含んでよく、成分の一部又は全ての間の類似度が考慮されてよく、いくつかの成分は他よりも重く重み付けされてよい。そのような及び他の実施形態において、新しい予測は、最近傍に基づき気象クラスにおいて分類されてよい。例えば、新しい予測は、最近傍と同じクラスに置かれてよい。そのような及び他の実施形態において、新しい予測の太陽天頂角も、新しい予測が高い太陽天頂角を有するかどうかを判定するために解析されてよい。そのような及び他の実施形態において、新しい予測が低い太陽天頂角を有する場合には、新しい予測は推定（projecting）と見なされてよい。
【００３０】
新しい予測が気象クラスにおいて分類された後、新しい予測は、新しい予測の正確さ、又は新しい予測の予測不可能性の程度を決定するよう解析されてよい。例えば、新しい予測についての信頼区間は、新しい予測が属する気象クラスの特性に基づき、又は新しい予測の最近傍の特性に基づき、決定されてよい。例えば、制御装置１１１は、新しい予測についての予測不可能性の程度及び／又は信頼区間を決定してよい。
【００３１】
いくつかの実施形態において、制御装置１１１が新しい予測を解析した後、制御装置１１１は、新しい予測の正確さに基づきＶＰＰ１１０の動作を変更してよい。例えば、制御装置１１１は、発電の出力を増大又は低減するように太陽光発電装置１１２、風力発電装置１１３、化石燃料発電装置１１４、及び／又は水力発電装置１１５へメッセージを送ってよい。例えば、制御装置１１１は、出力を増大するように太陽光発電装置１１２に指示してよく、出力を低減するように非太陽光発電装置（例えば、風力発電装置１１３、化石燃料発電装置１１４、及び／又は水力発電装置１１５）のいずれかに指示してよい。そのような及び他の実施形態において、変更は、新しい予測の信頼区間のような解析の出力に比例してよい。追加的に、又は代替的に、制御装置１１１は、新しい予測の解析に基づき、追加の電力を購入又は取得し、あるいは、エネルギ市場１３０から条件付きで追加の電力を購入又は取得してよい。追加的に、又は代替的に、制御装置１１１は、新しい予測の解析に基づき、ＶＰＰ１１０がエネルギ市場１３０において電力を提供している価格を設定、修正、変更、値下げ及び／又は値上げしてよい。例えば、新しい予測の正確さを用いると、ＶＰＰ１１０は、最低限の太陽エネルギ生産を承知することができる。最低限のエネルギ生産を知ることは、最悪の場合のシナリオにおいてどれくらい追加のエネルギが（対象エネルギの他に）必要とされるかを制御装置１１１に知らせることができる。制御装置１１１は、購入又は代替の電力生成を通じて如何なる追加のエネルギも取得してよく、あるいは、そのような取得のため準備をしてよい。
【００３２】
制御装置１１１は、１つ以上のプロセッサ１１６（プロセッサ１１６と呼ばれる。）と、メモリ１１７と、１つ以上の記憶装置１１８（記憶装置１１８と呼ばれる。）と、１つ以上の通信装置１１９（通信装置１１９と呼ばれる。）とを含んでよい。
【００３３】
プロセッサ１１６は、様々なコンピュータハードウェア又はソフトウェアモジュールを含む如何なる適切な特別目的又は汎用のコンピュータ、コンピューティングエンティティ、又はプロセッシングデバイスも含んでよく、メモリ１１７及び／又は記憶装置１１８のような如何なる適用可能なコンピュータ可読記憶媒体でも記憶されている命令を実行するよう構成されてよい。例えば、プロセッサ１１６は、マイクロプロセッサ、マイクロコントローラ、デジタル信号プロセッサ（ＤＳＰ；digital  signal  processor）、特定用途向け集積回路（ＡＳＩＣ；application-specific  integrated  circuit）、フィールドプログラマブルゲートアレイ（ＦＰＧＡ；Field-Programmable  Gate  Array）、あるいは、プログラム命令を解釈するよう及び／若しくは実行するよう並びに／又はデータを処理するよう構成された何らかの他のデジタル又はアナログ回路構成を含んでよい。図１では単一のプロセッサとして表されているが、プロセッサ１１６は、本開示で記載されている動作をいくつでも個々に又は集合的に実施するよう構成されたプロセッサをいくつでも含んでよい。加えて、プロセッサの１つ以上は、一緒に結合されているか又は遠隔で通信する異なる装置のような、１つ以上の異なる電子機器において存在してよい。
【００３４】
いくつかの実施形態において、プロセッサ１１６は、メモリ１１７に記憶されているプログラム命令を解釈及び／若しくは実行し及び／又はデータを処理してよい。いくつかの実施形態において、プロセッサ１１６は、記憶装置１１８からプログラム命令をフェッチし、プログラム命令をメモリ１１７にロードしてよい。プログラム命令がメモリ１１７にロードされた後、プロセッサ１１６はプログラム命令を実行してよい。いくつかの実施形態において、プロセッサ１１６による命令の実行は、ＶＰＰ１１０及び／又は制御装置１１１の動作を監督及び／又は制御してよい。例えば、プロセッサ１１６は、電気出力を増大又は低減するように制御装置１１１からのメッセージを発電装置の１つ以上へ送ってよい。
【００３５】
メモリ１１７及び記憶装置１１８は、コンピュータ実行可能命令又はデータ構造を搬送する又は記憶しているコンピュータ可読記憶媒体を含んでよい。そのようなコンピュータ可読記憶媒体は、プロセッサ１１６のような汎用又は特別目的のコンピュータによってアクセスされ得る如何なる利用可能な媒体も含んでよい。例として、制限なしに、そのようなコンピュータ可読記憶媒体は、ＲＡＭ、ＲＯＭ、ＥＥＰＲＯＭ、ＣＤ−ＲＯＭ若しくは他の光ディスクストレージ、磁気ディスクストレージ若しくは他の磁気記憶デバイス、フラッシュメモリデバイス（例えば、ソリッドステートメモリデバイス）、ハードディスク（ＨＤＤ）、ソリッドステートドライブ（ＳＳＤ）、あるいは、コンピュータ実行可能命令又はデータの形で所望のプログラムコードを搬送又は記憶するために使用されてよく且つ汎用又は特別目的のコンピュータによってアクセスされ得る何らかの他の記憶媒体を含む、有形な又は非一時的なコンピュータ可読記憶媒体を含んでよい。コンピュータ可読記憶媒体は、スタンドアローンの媒体として、又は何らかのシステム、コンポーネント、若しくは装置の部分として、構成されてよい。コンピュータ可読記憶媒体は、物理媒体として、又は仮想化媒体として、構成されてよい。それらの組み合わせも、コンピュータ可読記憶媒体の適用範囲内に含まれてよい。コンピュータ実行可能命令は、例えば、プロセッサ１１６に特定の動作又は動作群を実施させるよう構成された命令及びデータを含んでよい。
【００３６】
通信装置１１９は、情報を送信又は受信するよう構成された如何なるコンポーネント、装置、システム、又はそれらの組み合わせも含んでよい。通信装置１１９は、他の場所若しくは同じ場所にある他の装置と、又は同じシステム内にある他のコンポーネントとさえ通信してよい。通信装置１１９は、制限なしに、モデム、ネットワークカード（無線又は有線）、赤外線通信装置、無線通信装置（例えば、アンテナ）、及び／又はチップセット（例えば、Ｂｌｕｅｔｏｏｔｈ（登録商標）デバイス、８０２．６デバイス（例えば、メトロポリタンエリアネットワーク（ＭＡＮ；Metropolitan  Area  Network））、Ｗｉ−Ｆｉ（登録商標）装置、ＷｉＭＡＸ（登録商標）装置、セルラー通信設備、など）、及び／又は同様のものを含んでよい。通信装置１１９は、ネットワーク１４０及び／又は本開示で記載されているいずれかの他の装置（発電装置のいずれかを含む。）とデータが交換されるようにしてよい。
【００３７】
変更、追加、又は削除は、本開示の適用範囲から逸脱することなしにシステム１００に対してなされてよい。例えば、いくつかの実施形態において、システム１００は、原子力発電装置のような、明示的に図示又は記載されていない他のコンポーネントをいくつでも含んでよい。他の例として、制御装置１１１は、単一の装置として表されているが、通信上結合されているいくつの装置又はシステムであってもよい。例えば、制御装置１１１によって実施されるタスクのいくつかは、サーバ、クラウドベースのサービス、又は何らかの他の遠隔装置によって実施されてよく、ウェブブラウザ、携帯機器、などを用いてクライアントによって呼び出されてよい。
【００３８】
図３は、本開示の少なくとも一実施形態に従って、太陽光発電システムを作動させる方法３００のフロー図の例である。方法３００は、如何なる適切なシステム、機器、又は装置によっても実施されてよい。例えば、図１のシステム１００、ＶＰＰ１１０、又は制御装置１１１は、方法３００に関連した動作の１つ以上を実施してよい。別個のブロックにより表されているが、方法３００のブロックの１つ以上に関連したステップ及び動作は、所望の実施に応じて、更なるブロックに分けられても、より少ないブロックへとまとめられても、あるいは、削除されてもよい。
【００３９】
ブロック３０５で、太陽光発電システムは、電力を生成するために使用されてよい。そのような発電システムは、ＶＰＰ（例えば、図１のＶＰＰ１１０）を含んでよく、あるいは、太陽光発電装置を備えた如何なる他のシステムであってもよい。
【００４０】
ブロック３１０で、太陽光に代わるエネルギの発生源は、電力を生成するために使用されてよい。そのようなエネルギ源は、ＶＰＰの部分であってよく、あるいは、何らかの他の発電装置であってよい。そのようなエネルギ源の例は、風力、原子力、化石燃料（例えば、石炭、天然ガス）、又は水力発電装置を含んでよい。
【００４１】
ブロック３１５で、太陽光発電システムの位置での放射履歴データのテストデータは、取得される。例えば、気象情報源（例えば、図１の気象情報源１２０）は、履歴データを太陽光発電システムへ送信してよい。他の例として、太陽光発電システムが放射履歴データを生成、収集、又は記録してよい。例えば、制御装置（例えば、図１の制御装置１１１）は、センサを用いて太陽光発電システムでの局所的な気象を計測することで放射履歴データを生成してよい。いくつかの実施形態において、テストデータセットは、放射量データに加えて追加の気象情報を含んでよい。
【００４２】
ブロック３２０で、テストデータセットは、太陽光発電システムの位置での放射量の晴天モデルに基づき正規化されてよい。例えば、所与の時刻でのテストデータセットにおける夫々の履歴データは、その時刻での晴天の間の典型的な放射量で割られた放射量を有してよい。そのような正規化されたテストデータセットは、考えられている時刻から独立しており、すなわち、太陽天頂角と無関係であることができる。制御装置がそのような正規化を実施してよい。
【００４３】
ブロック３２５で、テストデータセットは、気象クラスにクラスタリングされてよい。夫々の気象クラスは、対応する特性の組を有する。例えば、正規化されたテストデータセットのヒストグラムは、所与の晴天指数がテストデータにおいて現れる確率に基づき生成されてよい。ヒストグラムは、データに適合された曲線を有してよく、その場合に、夫々の気象クラスについての曲線は、ヒストグラムに適合された曲線から導出されてよい。テストデータセットにおける夫々のデータ点は、所与のデータ点が特定の気象クラスに関連した曲線にどの程度適合するのかに基づき、気象クラスにクラスタリングされてよい。他の例として、複数の特性が考えられてよく、夫々のデータ点は、所与の気象クラスの特性の組の中の複数の特性によるデータ点の類似度の解析に基づき分類されてよい。追加的に、又は代替的に、特性は、テストデータセットにおける所与のデータ点が所与の気象クラスにクラスタリングされるかどうかへの支配的な影響を１つ以上の特性が有し得るように、非一様に重み付けされてよい。制御装置はそのようなクラスタリングを実施してよい。
【００４４】
ブロック３３０で、放射量の予測は取得されてよい。例えば、予測は、気象情報源から太陽光発電システムへ送信されてよい。追加的に、又は代替的に、太陽光発電システムが放射量の予測を生成してよい。いくつかの実施形態において、予測は、放射量に加えて、気象情報の他のコンポーネントも含んでよい。
【００４５】
ブロック３３５で、予測は、気象クラスのうちの１つに分類されてよい。例えば、予測の最近傍が特定され、その最近傍に基づき、予測は気象クラスのうちの１つに分類されてよい。いくつかの実施形態において、そのような分類は、最近傍の特性及び／又は気象クラス予測により１つ以上の特性を比較及び／又は解析することを含んでよい。
【００４６】
ブロック３４０で、予測の信頼区間は決定されてよい。そのような決定は、予測が分類される気象クラスに基づいてよく、気象クラスの予測不可能性の程度、気象クラスの確率分布、及び／又は気象クラスの何らかの他の特性のような、気象クラスの特性のうちの１つ以上に基づいてよい。信頼区間の決定は、予測の最近傍の１つ以上の特性及び／又は気象クラスにも基づいてよい。制御装置がそのような決定を実施してよい。
【００４７】
ブロック３４５で、信頼区間が閾値よりも大きいかどうかが決定されてよい。そのような決定は、制御装置によって行われてよい。ブロック３５０で、信頼区間が閾値よりも大きいとの決定の後、太陽光発電システムの動作は変更されてよい。例えば、太陽光に代わるエネルギの発生源の出力は増やされてよく、あるいは、太陽光発電システムによって請求される太陽エネルギの価格は上げられてよく、あるいは、その両方があってよい。追加的に、又は代替的に、太陽光発電装置の出力は低減されてよい。そのような変更は、例えば、制御装置が、太陽光に代わるエネルギの発生源へメッセージを送ること、太陽光発電システムへメッセージを送ること、又はエネルギ市場（例えば、図１のエネルギ市場１３０）へメッセージを送ることによって、起こってよい。
【００４８】
ブロック３５５で、信頼区間が閾値よりも大きくないとの決定の後、太陽光発電システムの動作は変更されてよい。例えば、太陽光に代わるエネルギの発生源の出力は低減されてよく、あるいは、太陽光発電システムによって請求される太陽エネルギの価格は下げられてよく、あるいは、その両方があってよい。追加的に、又は代替的に、太陽光発電装置の出力は増やされてよい。そのような変更は、例えば、制御装置が、太陽光に代わるエネルギの発生源へメッセージを送ること、太陽光発電システムへメッセージを送ること、又はエネルギ市場へメッセージを送ることによって、起こってよい。
【００４９】
従って、方法３００は、太陽光発電システムを作動さするために使用されてよい。変更、追加、又は削除は、本開示の適用範囲から逸脱することなしに方法３００に対してなされてよい。例えば、ブロック３０５又は３１０のいずれかは削除されてよい。他の例として、方法３００の動作は、異なる順序で実施されてよい。追加的に、又は代替的に、２つ以上の動作が同時に実施されてよい。更には、説明されている動作及び操作は、例としてのみ与えられており、動作及び操作のいくつは、本開示の本質から外れることなしに、任意であっても、より少ない動作及び操作へとまとめられても、あるいは、更なる動作及び操作へと展開されてもよい。
【００５０】
図４Ａ及び４Ｂは、本開示の少なくとも１つの実施形態に従って、太陽光発電装置を含む仮想電力プラントを作動させる方法４００のフロー図の例である。方法４００は、如何なる適切なシステム、機器、又は装置によっても実施されてよい。例えば、図１のシステム１００、ＶＰＰ１１０、又は制御装置１１１は、方法４００に関連した動作の１つ以上を実施してよい。別個のブロックにより表されているが、方法４００のブロックの１つ以上に関連したステップ及び動作は、所望の実施に応じて、更なるブロックに分けられても、より少ないブロックへとまとめられても、あるいは、削除されてもよい。
【００５１】
ブロック４０５で、太陽光発電装置（例えば、図１の太陽光発電装置１１２）及び少なくとも１つの非太陽光発電装置（例えば、図１の風力発電装置１１３、化石燃料発電装置１１４、又は水力発電装置１１５のいずれか）を備えたＶＰＰ（例えば、図１のＶＰＰ１１０）は、電力を生成するために使用されてよい。
【００５２】
ブロック４１０で、太陽光発電装置の位置での放射履歴データのテストデータセットは、取得されてよい。ブロック４１０は、図３のブロック３１５と同様であってよい。
【００５３】
ブロック４１５で、テストデータセットは、太陽光発電装置の位置での放射量の晴天モデルに基づき正規化されてよい。そのような正規化は、テストデータセットにおける夫々の履歴データについて、所与の時刻でのデータ点の放射量をその所与の時刻での晴天の間の典型的な放射量で割ることを含んでよい。そのような正規化は、制御装置（例えば、図１の制御装置１１１）によって実施されてよい。
【００５４】
ブロック４２０で、テストデータセットのヒストグラムはプロットされてよい。例えば、図２の例となるプロットの組２００の中のプロット２１０のようなプロットが、正規化されたテストデータセットに基づき生成されてよい。そのようなプロットは、制御装置によって実施されてよい。
【００５５】
ブロック４３０で、ヒストグラム曲線は、ヒストグラムに当てはめられてよい。そのような曲線の例は、図１のプロット２２０の曲線２２５を含む。ヒストグラム曲線は、クラス特有曲線の結合を含む結合曲線を含んでよい。例えば、テストデータセットがクラスタリングされ得る複数の気象クラスの夫々に対応する曲線が存在してよい。そのようなクラスの例は、曇天、一部曇り、又は晴天を含んでよい。そのような曲線の例は、図２の第１、第２、及び第３の曲線２３２、２３４、及び２３６を含んでよい。そのような当てはめ（fitting）は、制御装置によって実施されてよい。
【００５６】
ブロック４３５で、テストデータセットにおけるデータ点は、クラスのうちの１つにクラスタリングされてよい。いくつかの実施形態において、クラスの夫々は、特定の対応する組を含んでよい。そのような及び他の実施形態において、テストデータセットにおける夫々のデータ点は、所与のデータ点が特定の気象クラスに関連した曲線にどの程度適合するのかに基づき、気象クラスにクラスタリングされてよい。他の例として、複数の特性が考えられてよく、夫々のデータ点は、所与の気象クラスの特性の組の中の複数の特性によるデータ点の類似度の解析に基づき分類されてよい。追加的に、又は代替的に、特性は、テストデータセットにおける所与のデータ点が所与の気象クラスにクラスタリングされるかどうかへの支配的な影響を１つ以上の特性が有し得るように、非一様に重み付けされてよい。制御装置がそのようなクラスタリングを実施してよい。
【００５７】
ブロック４４０で、放射量の予測は取得されてよい。ブロック４４０は、図３のブロック３３０と同様であってよい。
【００５８】
ブロック４４５（図４Ｂを参照）で、テストデータセットにおける予測の最近傍は見つけられてよい。例えば、制御装置は、予測に最も類似しているテストデータセット内のデータ点を見つけてよい。そのような検索は、予測の複数の特性及びテストデータセットにおけるデータ点の考慮を含んでよい。いくつかの実施形態において、特性の１つ以上は、予測の最近傍を見つけることにおいて、他の特性よりも重く又は軽く重み付けされてよい。
【００５９】
ブロック４５０で、予測は、最近傍に基づき気象クラスのうちの１つに分類されてよい。例えば、予測は、最近傍と同じ気象クラスに置かれてよい。追加的に、又は代替的に、気象クラスのサブセットは、最近傍に基づき選択されてよく、気象クラスのサブセットの夫々の特性は、予測の特性と比較されてよい。分類は、制御装置によって実施されてよい。
【００６０】
ブロック４５５で、予測の信頼区間は決定されてよい。ブロック４５５は、図３のブロック３４０と同様であってよい。ブロック４６０で、信頼区間が閾値よりも大きいかどうかが決定されてよい。ブロック４６０は、図３のブロック３４５と同様であってよい。
【００６１】
ブロック４６５で、信頼区間が閾値よりも大きいとの決定の後、ＶＰＰの動作は変更されてよい。例えば、太陽光発電装置の出力は低減されてよく、非太陽光発電装置の出力は増やされてよい。いくつかの実施形態において、そのような増大及び／又は低減は、信頼区間に比例してよい。
【００６２】
ブロック４７０で、信頼区間が閾値よりも大きくないとの決定の後、ＶＰＰの動作は変更されてよい。例えば、太陽光発電装置の出力は増やされてよく、非太陽光発電装置の出力は低減されてよい。いくつかの実施形態において、そのような増大及び／又は低減は、信頼区間に比例してよい。
【００６３】
従って、方法４００は、太陽光発電装置を含むＶＰＰを作動させるために使用されてよい。変更、追加、又は削除は、本開示の適用範囲から逸脱することなしに方法４００に対してなされてよい。例えば、ブロック４０５は削除されてよい。他の例として、方法４００の動作は、異なる順序で実施されてよい。追加的に、又は代替的に、２つ以上の動作が同時に実施されてよい。更には、説明されている動作及び操作は、例としてのみ与えられており、動作及び操作のいくつは、本開示の本質から外れることなしに、任意であっても、より少ない動作及び操作へとまとめられても、あるいは、更なる動作及び操作へと展開されてもよい。
【００６４】
例として、本開示の少なくとも１つの実施形態の特定の態様は、式及び／又は数学演算を参照して記載されてよい。例えば、履歴データから太陽光の将来の確率分布を示すための解析は、
Ｐ（ｙｔ＋ｈ−ｙ＾ｔ＋ｈ｜ｘｔ）
と記載されてよい。ここで、ｈ＝｛１，・・・，Ｈ｝として、ｙｔ＋ｈは、ｔ＋ｈでの実際の予測値を表してよく、ｙ＾ｔ＋ｈは、ｔ＋ｈでの予測を表してよく、ｘｔ＝（Ｙｔ，Ｚｔ＋ｈ）である。Ｙｔ＝｛ｙ１，・・・，ｙｔ｝は、時間ｔ以前のアナログ観測のベクトルであってよく、Ｘｔ＋ｈ＝｛ｚ１，・・・，ｚｔ，ｚｔ＋ｈ｝は、時間ｔ＋ｈ以前のアナログ外生変数のベクトルであってよい。ｎ個の気象情報変数について、ｉ＝１，・・・，ｔ＋ｈとして、ｚｉ∈Ｒｎである。
【００６５】
いくつかの実施形態において、テストデータセットの正規化は、例となる数学演算によって表されてよい。例えば、晴天指数（ｋｔ）について、晴天指数は、
ｙｔ＝ｋｔ（ｔ）＝Ｉ（ｔ）／Ｉ（ｔ）ｃｌｒ
によって正規化されてよい。ここで、Ｉ（ｔ）は太陽放射量（例えば、地球規模の放射量又は標準的な放射量のいずれか１つ）であってよく、Ｉ（ｔ）ｃｌｒは、所与の時点についての晴天放射量モデルであってよい。演算は、テストデータの履歴データについて夫々の時点ごとに実施されてよい。
【００６６】
いくつかの実施形態において、ヒストグラムをプロットし及び／又はテストデータを複数のクラスに分類する様々な態様は、数学演算によって表されてよい。例えば、晴天指数に基づきスカイカバーを決定するよう、関数ｆ
ｋｔ（ｆ）＝ｆ（ｓｋｙ  ｃｏｖｅｒ１，・・・，ｓｋｙ  ｃｏｖｅｒｔ）
が導入されてよく、関数ｇは、晴天指数値の確率密度関数をプロットするために利用されてよい。
ｓｋｙ  ｃｏｖｅｒ（ｔ）＝ｆ−１（ｋｔ（ｔ））＝ｇｔ（ｋｔ（ｔ））
【００６７】
他の例として、夫々のクラスは、
ｇｔ＝α１Ｎ１＋・・・＋αｐＮｐ
によって記載されるガウス分布モデルによってモデリングされてよい。ここで、ｇｔは結合曲線（図２のプロット２２０の曲線２２５）を表してよく、α１Ｎ１＋・・・＋αｐＮｐは、結合に寄与する様々なガウス分布モデルを表してよく、αは、所与の気象クラスの確率を示し、Ｎは、結合曲線における所与の気象クラスのガウス分布曲線の１つを表し、ｐは、クラスの数を表す。いくつかの実施形態において、低い太陽天頂角を有するデータ点は除外されてよい。いくつかの実施形態において、期待値最大化は、例えば、式
Ｐ（Ｑｉ｜ｙ）＝（Ｐ（ｙ｜Ｑｉ）Ｐ｜Ｑｉ）／Ｐ（ｙ）
を用いて、テストデータセットにおける夫々のデータ点について正確なクラスを見つけるために使用されてよい。ここで、Ｑｉは、ｉ番目の気象クラス（例えば、ヒストグラムから導出されるｉ番目のクラス）を表す。例えば、曇天、一部曇り、及び晴天のクラスを用いる場合に、ｉは、クラスの夫々を反復的に繰り返してよい。様々なアルファ値の決定を助けるよう、Ｐ（Ｑｉ）＝αｉ及びα１＋・・・＋αｐ＝１とし、Ｐ（Ｑｉ）は、次の式によって導出されてよい：
【数１】
0006759966.tif 000002
このように、そのような数学演算を用いると、気象クラスの夫々についての夫々の曲線は、結合曲線から取り出されてよい。
【００６８】
いくつかの実施形態において、最近傍を見つけることは、最近傍を見つけるためにｋ近傍（ｋ−ＮＮ；k-nearest  neighbor）アルゴリズムを利用してよく、且つ、最近傍までの加重距離のために一般的なパターン探索モデルを利用してよい。例えば、新しい予測を解析するためのテストデータセットは、式
Ｓ＝（ｚｔ，ｓｔ）∈Ｒｍｎ×｛１，・・・，ｐ｝
によって表されてよい。Ｓは、テストデータセットの空間を表してよく、ｓｔは、データセットにおける新しい予測点ｚｔのラベルを表し、ｍは、テストデータセットにおける点の数を表してよい。テストデータセットを用いると、予測が所与の気象クラスに属する確率が次の式を用いて予想されてよい：
【数２】
0006759966.tif 000003
ここで、Γｋ（Ｓ，ｚｔ）は、空間Ｓにおけるそのｋ個の最近傍を用いてｚｔに対して成される予想を表してよく、Ｎｋ（ｚｔ、Ｓ）は、空間Ｓにおけるｚｔに対するｋ個の最近点のインデックスであり、１（ｅ）は、ｅが真である場合に１であり、ｅが偽である場合に０である指標関数である。そのような及び他の実施形態において、最近傍のための相似基準は、一般的なパターン探索アルゴリズムを用いて計算された加重距離関数に基づいてよい。関数は、次の式に従う関数であってよい：
【数３】
0006759966.tif 000004
ここで、ｗは重み関数であり、次が成り立つ：
【数４】
0006759966.tif 000005
【００６９】
いくつかの実施形態において、予測が所与のクラスに分類された後、Krigingモデルが、予測の信頼区間又は誤差分布を決定するために使用されてよい。そのような解析は、数学式及び／又は演算と見なされてよい。例えば、誤差ｅｔ＋ｈは、次の式によって特徴付けられてよい：
【数５】
0006759966.tif 000006
ここで、ΔＹｔ，ｓｐは、クラスｓｐでの予測誤差履歴を表してよく、Ｒｓｐ（Ｚｔ，ｓｐ（ｉ），Ｚｔ，ｓｐ（ｊ））は、ΔＹｔ，ｓｐ（ｉ）とΔＹｔ，ｓｐ（ｊ）との間の相関モデルを表してよく、ｒｓｐ（ｚｔ＋ｈ、ｚｔｐ）は、ｅｔ＋ｈとΔＹｔ，ｓｐ（ｉ）との間の相関のベクトルであってよく、そして：
【数６】
0006759966.tif 000007
0006759966.tif 000008
いくつかの実施形態において、修正コレスキー（Cholesky）分解は、ｑが１に設定された状態で、相関行列Ｒｓｐ（θ）＝Ｃｓｐ（θ）ＣｓｐＴ（θ）のために使用されてよい。θの値について、最適値は、例えば、次の式を用いて、パターン探索アルゴリズムによって対数尤度を用いて最大化されてよい：
【数７】
0006759966.tif 000009
あるいは、それは、次の式を用いて最小化されてよい：
【数８】
0006759966.tif 000010
このとき：
【数９】
0006759966.tif 000011
それらの値を用いると、誤差予測
［外１］
0006759966.tif 000012
及びＭＳＥについての予想は、次のように計算されてよい：
【数１０】
0006759966.tif 000013
ここで、予測誤差の確率分布は、次のように計算されてよい：
【数１１】
0006759966.tif 000014
ここで、ｅｔ＋ｈは、誤差の実数値を表してよく、
［外２］
0006759966.tif 000015
は、本開示に従って計算された誤差分布を表してよい。それらの計算を用いると、予測についての期待値及び誤差の分散は、例えば、次の式によって決定されてよい：
【数１２】
0006759966.tif 000016
ここで、μｈは、誤差の平均値を表してよく、σｈは、誤差に関連した分散を表してよく、そして、誤差
［外３］
0006759966.tif 000017
の分布が求められ得る。
【００７０】
本開示で使用されるように、語「モジュール」又は「コンポーネント」は、モジュール又はコンポーネントの動作を実施するよう構成された具体的なハードウェア実施、且つ／あるいは、コンピュータシステムの汎用のハードウェア（例えば、コンピュータ可読媒体、プロセッシングデバイス、など）に記憶され及び／又はそれによって実行されるソフトウェアオブジェクト又はソフトウェアルーチンに言及してよい。いくつかの実施形態において、本開示で記載される種々のコンポーネント、モジュール、エンジン、及びサービスは、コンピュータシステムにおいて（例えば、別個のスレッドとして）実行するオブジェクト又はプロセスとして実装されてよい。本開示で記載されるシステム及び方法のいくつかは、ソフトウェア（汎用のハードウェアに記憶され及び／又はそれによって実行される。）において実装されるものとして一般に記載されるが、具体的なハードウェア実施又はソフトウェアと具体的なハードウェア実施との組み合わせも可能であり、考えられている。本明細書において、「コンピューティングエンティティ」は、本開示において以前に定義された如何なるコンピュータシステム、又はコンピュータシステムで実行される如何なるモジュール若しくはモジュールの組み合わせであってもよい。
【００７１】
本開示で、特に添付の特許請求の範囲（例えば、添付の特許請求の範囲の本文）で使用される語は、一般的に、“非限定的な（open）”用語として意図されている（例えば、語「含んでいる（including）」は、“〜を含んでいるが、〜に制限されない”との意に解釈されるべきであり、語「備えている（having）」は、「少なくとも〜を備えている」との意に解釈されるべきであり、語「含む（includes）」は、“〜を含むが、〜に制限されない”との意に解釈されるべきであり、語「包含している（containing）」は、“〜を包含しているが、〜に制限されない”との意に解釈されるべきである、など。）。
【００７２】
加えて、導入されたクレーム記載（introduced  claim  recitation）において特定の数が意図される場合、そのような意図は当該クレーム中に明確に記載され、そのような記載がない場合は、そのような意図も存在しない。例えば、理解を促すために、後続の添付された特許請求の範囲では、「少なくとも１つの（at  least  one）」及び「１つ以上の（one  or  more）」といった導入句を使用し、クレーム記載を導入することがある。しかし、このような句を使用するからといって、「a」又は「an」といった不定冠詞によりクレーム記載を導入した場合に、たとえ同一のクレーム内に、「１つ以上の」又は「少なくとも１つの」といった導入句と「a」又は「an」といった不定冠詞との両方が含まれるとしても、当該導入されたクレーム記載を含む特定のクレームが、当該記載事項を１しか含まない例に限定されるということが示唆されると解釈されるべきではない（例えば、「a」及び／又は「an」は、「少なくとも１つの」又は「１つ以上の」を意味すると解釈されるべきである。）。定冠詞を使用してクレーム記載を導入する場合にも同様のことが当てはまる。
【００７３】
更には、導入されたクレーム記載において特定の数が明示されている場合であっても、そのような記載は、通常、少なくとも記載された数を意味するように解釈されるべきであることは、当業者には理解されるであろう（例えば、他に修飾語のない、単なる「２つの記載事項」という記載がある場合、この記載は、少なくとも２つの記載事項、又は２つ以上の記載事項を意味する。）。更に、「Ａ、Ｂ及びＣなどのうち少なくとも１つ」又は「Ａ、Ｂ及びＣなどのうちの１つ以上」に類する表記が使用される場合、一般的に、そのような構造は、Ａのみ、Ｂのみ、Ｃのみ、ＡとＢの両方、ＡとＣの両方、ＢとＣの両方、及び／又はＡとＢとＣの全て、などを含むよう意図される。
【００７４】
更に、２つ以上の選択可能な用語を表す如何なる離接語及び／又は離接句も、明細書、特許請求の範囲、又は図面のいずれであろうと、それら用語のうちの１つ、それらの用語のうちのいずれか、あるいは、それらの用語の両方を含む可能性を意図すると理解されるべきである。例えば、「Ａ又はＢ」という句は、「Ａ又はＢ」、あるいは、「Ａ及びＢ」の可能性を含むことが理解されるべきである。
【００７５】
ここで挙げられている全ての例及び条件付き言語は、当該技術の促進に本発明者によって寄与される概念及び本発明を読者が理解するのを助ける教育上の目的を意図され、そのような具体的に挙げられている例及び条件に制限されないと解釈されるべきである。本発明の実施形態が詳細に記載されてきたが、様々な変更、置換、及び代替が、本発明の主旨及び適用範囲から逸脱することなしに行われてよい。
【００７６】
上記の実施形態に加えて、以下の付記を開示する。
（付記１）
太陽エネルギ予測を評価する方法であって、
少なくとも１つの太陽光発電装置を含む仮想電力プラントで発電し、
前記太陽光発電装置の位置での歴史的な放射量のテストデータセットを得、
所与の時点での前記テストデータセットを前記所与の時点での晴天放射量で割ることによって、前記位置での放射量の晴天モデルに基づき前記テストデータセットを正規化し、
晴天指数の確率密度に関わる前記テストデータセットのヒストグラムをプロットし、
複数のクラスの夫々についてのクラス特有曲線の結合を含むヒストグラム曲線を前記ヒストグラムに適合させ、
前記クラスの夫々についての前記クラス特有曲線を取り出し、
各点が前記クラス特有曲線にどの程度適合するのかに基づき、前記クラスのうちの１つにより前記テストデータセットにおける各点をクラスタリングし、
前記太陽光発電装置でのある時点についての放射量の予測を得、
前記放射量の予測と前記テストデータセットとの間の類似度に基づき、前記テストデータセットにおいて、前記予測に対して類似した気象条件を持った前記テストデータセットにおける点を含む前記予測の最近傍を見つけ、
前記予測の前記最近傍に基づき、該最近傍が属する前記複数のクラスのうちの１つに前記予測を分類し、
前記複数のクラスのうちの前記１つの放射量の予測不可能性の程度に基づき、前記予測の信頼区間を決定し、
前記信頼区間に基づき、該信頼区間に基づき前記太陽光発電装置の増加出力又は減少出力のうちの一方を実施することによって、前記仮想電力プラントでの発電を変更する
ことを含む方法。
（付記２）
前記信頼区間は、Krigingモデルを用いて決定される、
付記１に記載の方法。
（付記３）
前記仮想電力プラントは、少なくとも１つの非太陽光発電装置を更に含み、
前記仮想電力プラントでの発電を変更することは、
前記信頼区間に比例した、前記太陽光発電装置の増加出力及び前記非太陽光発電装置の減少出力、並びに
前記信頼区間に比例した、前記太陽光発電装置の減少出力及び前記非太陽光発電装置の増加出力
のうちの１つを実施することを含む、
付記１に記載の方法。
（付記４）
前記最近傍を見つけることは、近傍までの加重距離に基づきｋ近傍法を使用することを含み、前記近傍までの加重距離は、一般的なパターン探索アルゴリズムを用いて決定される、
付記１に記載の方法。
（付記５）
前記非太陽光発電装置は、風力発電装置、水力発電装置、石炭発電装置、原子力発電装置、又は天然ガス発電装置のうちの１つ以上を含む、
付記３に記載の方法。
（付記６）
太陽光発電予測を解析する方法であって、
太陽光発電システムの位置での歴史的な放射量のテストデータセットを得、
前記位置での放射量の晴天モデルに基づき前記テストデータセットを正規化し、該正規化されたデータセットは太陽天頂角から独立しており、
前記テストデータセットを複数の気象クラスにクラスタリングし、夫々の気象クラスは特性の組を含み、
前記太陽光発電システムでの所与の将来の時点についての放射量の予測を得、
前記予測を前記複数の気象クラスのうちの１つに分類し、
前記複数の気象クラスのうちの前記１つの前記特性の組に基づき、前記予測の信頼区間を決定し、
前記予測の前記信頼区間に基づき、太陽エネルギに代わるエネルギの発生源の増加出力又は該エネルギの発生源の減少出力のうちの一方を実施する
ことを含む方法。
（付記７）
前記特性の組は、晴天、曇天、及び一部曇り空のうちの少なくとも１つを含む雲量を含む、
付記６に記載の方法。
（付記８）
前記特性の組は、放射量の予測不可能性の程度を含み、
前記複数の気象クラスの夫々は、放射量の予測不可能性の程度が異なっている、
付記６に記載の方法。
（付記９）
前記特性の組は、季節、場所、雲形成、雲クラス、又はスカイカバーのうちの１つ以上を含む、
付記６に記載の方法。
（付記１０）
前記放射量の予測は、サードパーティによって生成される、
付記６に記載の方法。
（付記１１）
前記太陽光発電システムを用いて電力を生成し、
前記エネルギの発生源を用いて電力を生成する
ことを更に含む付記６に記載の方法。
（付記１２）
前記エネルギの発生源は、風力発電、水力発電、石炭発電、原子力発電、又は天然ガス発電のうちの１つ以上を含む、
付記６に記載の方法。
（付記１３）
前記テストデータセットを正規化することは、所与の時点での前記テストデータセットを前記所与の時点での晴天放射量で割ることを含む、
付記６に記載の方法。
（付記１４）
前記テストデータセットを複数の気象クラスにクラスタリングすることは、
晴天指数の確率密度に関わる前記テストデータセットのヒストグラムをプロットし、
夫々のクラスについてのクラス特有曲線の結合を含むヒストグラム曲線を前記ヒストグラムに適合させ、
前記クラスの夫々についての前記クラス特有曲線を取り出し、
各点が前記クラス特有曲線にどの程度適合するのかに基づき、前記テストデータセットにおける各点を前記クラスのうちの１つと関連付ける
ことを含む、付記６６に記載の方法。
（付記１５）
前記予測を前記複数の気象クラスのうちの１つに分類することは、前記予測に対して類似した気象条件を持った前記テストデータセットにおける点を表す前記予測の最近傍を見つけることを含み、
前記予測の信頼区間を決定することは、前記最近傍が属するクラスの放射量の予測不可能性の程度に更に基づく、
付記６に記載の方法。
（付記１６）
前記最近傍は、前記予測とは異なる時刻を含む、
付記１５に記載の方法。
（付記１７）
前記太陽光発電システムは、仮想電力プラントとして統合された、少なくとも１つの太陽光発電装置を含む複数の個別的な発電装置を有する、
付記６に記載の方法。
（付記１８）
前記信頼区間に基づき前記太陽エネルギの価格を変更すること
を更に含む付記６に記載の方法。
（付記１９）
太陽光発電システムの位置での歴史的な放射量のテストデータセットを得、
前記位置での放射量の晴天モデルに基づき前記テストデータセットを正規化し、該正規化されたデータセットは太陽天頂角から独立しており、
前記テストデータセットを複数の気象クラスにクラスタリングし、夫々の気象クラスは特性の組を含み、
前記太陽光発電システムでの所与の将来の時点についての放射量の予測を得、
前記予測を前記複数の気象クラスのうちの１つに分類し、
前記複数の気象クラスのうちの前記１つの前記特性の組に基づき、前記予測の信頼区間を決定し、
前記予測の前記信頼区間に基づき、太陽エネルギに代わるエネルギの発生源の増加出力又は該エネルギの発生源の減少出力のうちの一方を実施する
ことを含む動作を実行するか又はその実行を制御するよう１つ以上のプロセッサによって実行可能なコンピュータ可読命令を記憶している非一時的なコンピュータ可読媒体。
（付記２０）
前記特性の組は、放射量の予測不可能性の程度を含み、
前記複数の気象クラスの夫々は、放射量の予測不可能性の程度が異なっている、
付記１９に記載のコンピュータ可読媒体。
【符号の説明】
【００７７】
１００  システム
１１０  仮想電力プラント（ＶＰＰ）
１１１  制御装置
１１２  太陽光発電装置
１１３  風力発電装置
１１４  化石燃料発電装置
１１５  水力発電装置
【図１】
0006759966.tif 000018
【図２】
0006759966.tif 000019
【図３】
0006759966.tif 000020
【図４Ａ】
0006759966.tif 000021
【図４Ｂ】
0006759966.tif 000022